(57)【要約】      （修正有）【課題】選別作業の障害を取り除くことにより選別効率を向上させことが可能となるサイズ選別装置を提供する。【解決手段】回転式ドラム型選別装置において、回転ドラムのドラム軸２の下側にカムフロアー１７と接触するようにスクリュー１６を固定し、ドラム軸２の上側には軸の下方向に押し付ける圧縮コイルバネ３を設置することで軸方向に変位を起こすことができる。これにより、回転ドラムの軸方向に周期的に衝撃を発生させることで、回転ドラムの孔を通過せず孔を塞いだままの状態を防止することができる。【選択図】図３
0003186981.tif 000002
【実用新案登録請求の範囲】
【請求項１】
傾斜して配置された回転式ドラム型サイズ選別装置において、回転ドラム１は軸方向移動及び回転が自由にできる軸受け４で支えられており、回転ドラム１の一方の側軸にスクリュー16が固定され、回転ドラム1の他方側には回転ドラム1を軸方向に押し付ける圧縮バネ3を配置し、前記スクリュー１６は外部フレームに固定されたカムフロアー１７と接触しながら回転し、これに伴う急激な軸方向変位による衝撃力発生機能を具備したサイズ選別装置。
【考案の詳細な説明】
【技術分野】
【０００１】
本考案は乾燥椎茸の乾燥後のサイズ選別装置に関する。
【背景技術】
【０００２】
椎茸の原木ホダ木から採取した生椎茸はそのままでは長期保存ができないため、採取から直ちに消費者に届ける生椎茸以外は、乾燥して保管、流通させている。椎茸の原木ホダ木から採取した生椎茸を乾燥し乾燥椎茸を製造する工程は粗水切り期、本乾燥期、仕上げ期と進み重量比で生椎茸100％から乾燥椎茸30〜10％にしている。この乾燥椎茸は保有水分が約0％程度の絶乾状態とされているため、嵩の割には大変軽量なものである。
椎茸は椎茸の成長程度の違いから、肉厚でかさが開ききっていない冬茹（どんこ）と、薄手でかさが開いている香信（こうしん）、さらに両者の中間的存在の香茹（こうこ）の区別がある。
また、椎茸は乾燥によって旨み・香り成分が化学的に増すという特徴がある。
このため、乾燥椎茸の流通には品質の均質化が重要なファクターであり、成長過程に起因する椎茸の品質及び乾燥椎茸のサイズの統一、ナメクジ等による食害の無いことが重要である。
一般に、サイズの選別については鋼板に直径の異なる丸い孔を加工し、それを傾斜・振動させ、上方から直径の小さい孔群、最終的に直径の大きい孔群まで数段階孔径の異なる域を通過させ、当該孔径より小さい乾燥椎茸をその孔から通過・落下させることで選別している。また直径の異なる丸い孔を加工した鋼板を、円筒ないし多角形の筒状に製造し、これを傾斜させながら回転し、上方から乾燥椎茸を投入し、サイズの選別を行なっている。
【考案の概要】
【考案が解決しようとする課題】
【０００３】
本考案は、乾燥椎茸１０のサイズの選別装置に関するものであるが、サイズの選別のため、鋼板に直径の異なる丸い孔群を直径の小から大まで数段階に加工し、それを多角形に折り曲げ、同一サイズの孔が周方向に並ぶような多角形柱（以下回転ドラム１という）を製作し、孔径の小さい方を上方に傾斜させ、上方の開口部８から乾燥椎茸１０を投入し、傾斜した回転ドラム１の回転に伴い、乾燥椎茸１０が回転ドラム１の角面により、持ち上げ・落下を繰り返しながら回転ドラム１の中を下方に移動し、乾燥椎茸１０より直径が大きい孔に遭遇した場合、乾燥椎茸１０はその孔を通過・落下し、回転ドラムの下部に設置されたシューター１０を通り、同一サイズ群別に収納箱９に選別される。
サイズ群に仕分けられた乾燥椎茸１０は成長過程に起因する乾燥椎茸１０の品質、ナメクジ等による食害の有無や外観検査等の選別作業を繰り返し、品質検査に合格したものが出荷される。
しかしながら、前記の回転ドラム１の孔とほぼ同一サイズの乾燥椎茸１０は、乾燥椎茸１０の嵩比重が小さく、少しの障害があると孔を通過せず、孔を塞いだままの状態で回転ドラム１の中を回転し続けることになり、選別作業の支障になっている。
【課題を解決するための手段】
【０００４】
回転ドラム１の孔とほぼ同一サイズの乾燥椎茸１０は、乾燥椎茸１０の嵩比重が小さく、少しの障害があると孔を通過せず、孔を塞いだままの状態で回転ドラム１の中を回転し続けることになることがあるが、回転する回転ドラム１により、内容物の乾燥椎茸１０は回転ドラム１の内周面で持ち上げ・落下を繰り返しているためその衝撃で孔を塞いでいた乾燥椎茸１０は通過する場合もある。
本考案は、このような衝撃を積極的に発生させ、乾燥椎茸１０の嵩比重が小さく、少しの障害があると孔を通過せず、孔を塞いだままの状態で回転ドラム１の中を回転し続けることを防止するものであり、回転ドラム１の支持端部に軸方向に周期的に衝撃を伝え、通過・落下させるものであり、選別作業の障害を取り除くことにより選別効率を向上させることが可能となる。
【考案の効果】
【０００５】
回転ドラム１の孔とほぼ同一サイズの乾燥椎茸１０は、乾燥椎茸１０の嵩比重が小さく、少しの障害があると孔を通過せず、孔を塞いだままの状態で回転ドラム１の中を回転し続けることになることがあるが、回転ドラム１の支持端部に軸方向に周期的に衝撃振動を発生させる装置を設けることにより、孔を塞いだままの状態にある乾燥椎茸１０に衝撃を伝え、通過・落下させるものであり、選別作業の障害を取り除くことにより選別効率を向上させることが可能となる。
【図面の簡単な説明】
【０００６】
【図１】は本考案になる、乾燥椎茸選別装置の全体図を示す。
【図２】は乾燥椎茸選別装置の断面図を示す。
【図３】は本装置の駆動部詳細図を示す。図３に示す回転ドラム１の駆動装置ａは回転ドラム１の下方に設置し、ギヤードモーター１２の動力は駆動側スプロケット１６からローラーチェーン１４を介し、被動側スプロケット１９に伝えられ、ドラム軸２を回転している。回転ドラム１の駆動側軸には軸方向変位を発生するためのスクリュー１６がカムフロアー１７と接触するように固定されている。また、回転ドラム１の上側には回転ドラム１を軸方向に押し付ける圧縮コイルバネ３が設置されており、回転ドラム１を下部方向に押し付けている。
【図４】は衝撃発生装置の詳細を示す。図４に示すようにカムフロアー１７と接触するようにスクリュー１６を固定し、回転ドラム１の回転に合わせてスクリュー１６が回転していき、スクリュー１６のスロープをカムフロアー１７が上っていき最高位置に達したとき、回転ドラム１を下部方向に押し付けている圧縮コイルバネ３により急速に最下位置まで回転ドラム１が押し付けられることで、回転ドラム１の軸方向に周期的に衝撃を発生させている。
【考案を実施するための形態】
【０００７】
回転ドラム１の駆動側軸には軸方向変位を発生するためのスクリュー１６が回転ドラム１の下側軸に固定されている。また、回転ドラム１の上部側には回転ドラム１を軸方向に押し付ける圧縮コイルバネ３が設置されており、これにより、回転ドラム１を下部方向に押し付けている。スクリュー１６はカムフロアー１７と接触しながら回転し、前記圧縮コイルバネ３の力を受けることで回転ドラム１は軸方向に変位する。
衝撃振動の調整は回転ドラム１上部に設置された圧縮コイルバネ３の力と回転ドラム１下部に設置されたスクリュー１６の形状に影響される。このため、スクリュー１６の形状は図３に示すように軸方向に４等分し、それぞれ動一方向にスロープを設け、スロープの最高位置から急速に最下位置となる形状としている。
【実施例】
【０００８】
図１は本考案になる、乾燥椎茸サイズ別選別装置の全体図を示す。図２は乾燥椎茸選別装置の断面図を示す。図３は本装置の駆動部詳細図を示す。図３に示す回転ドラム１の駆動装置ａは回転ドラム１の下方に設置し、ギヤードモーター１２の動力は駆動側スプロケット１６からローラーチェーン１４を介し、被動側スプロケット１９に伝えられ、ドラム軸２を回転している。回転ドラム１の駆動側軸には軸方向変位を発生するためのスクリュー１６がカムフロアー１７と接触するように固定されている。また、回転ドラム１の上側には回転ドラム１を軸方向に押し付ける圧縮コイルバネ３が設置されており、回転ドラム１を下部方向に押し付けている。図４は衝撃発生装置の詳細を示す。図４に示すようにカムフロアー１７と接触するようにスクリュー１６を固定し、回転ドラム１の回転に合わせてスクリュー１６が回転していき、スクリュー１６のスロープをカムフロアー１７が上っていき最高位置に達したとき、回転ドラム１を下部方向に押し付けている圧縮コイルバネ３により急速に最下位置まで回転ドラム１が押し付けられることで、回転ドラム１の軸方向に周期的に衝撃を発生させている。
【産業上の利用可能性】
【０００９】
乾燥椎茸だけでなく、球状の野菜や果物等でサイズ選別が必要となるものには回転ドラム１の孔径を対象物の選別サイズに変更することによって広く応用できる。
【符号の説明】
【００１０】
１…回転ドラム
２…ドラム軸
３…圧縮コイルバネ
４…軸受け
５…機体フレーム
６…モーターカバー
７…投入エプロン
８…開口部
９…収納箱
１０…乾燥椎茸
１１シューター
１２…ギヤードモーター
１３…駆動側スプロケット
１４…ローラーチェーン
１５…被動側スプロケット
１６…スクリュー
１７…カムフロアー
１８…ドラム支柱
a…駆動装置
【図１】
0003186981.tif 000003
【図２】
0003186981.tif 000004
【図３】
0003186981.tif 000005
【図４】
0003186981.tif 000006